(57)【要約】【課題】本発明は通信機械室用放熱通風システムを開示した。【解決手段】屋根と、底板と、四つの壁板とを含み、左右二つの前記壁板の中にはいずれも水取り機構が設けられ、湿気った天気に、前記壁板の表面に凝結した水玉が前記水取り機構に集められて貯蔵されることができ、前記底板の中には通気機構が設けられ、前記通気機構が作動し機械室と前記水取り機構の貯水空間とを連通し、これによって通気する時に気体が貯水空間を経由してから屋内に入り、これによって通気降温を実現し、右側の前記壁板の中には通気を止めることができる止め機構も設けられ、右側の前記壁板の中には前記止め機構の運動を制御する風速制御機構も設けられ、前記風速制御機構は旋転チャンバを含み、前記旋転チャンバの下端壁には上端が外部空間の中に位置した旋転軸が回転できるように連結されている。【選択図】図１
2020197363.tif 000002
【特許請求の範囲】
【請求項１】
正面視で、屋根と、底板と、四つの壁板とを含み、左右二つの前記壁板の中にはいずれも水取り機構が設けられ、湿気った天気に、前記壁板の表面に凝結した水玉が前記水取り機構に集められて貯蔵されることができ、
前記底板の中には通気機構が設けられ、前記通気機構が作動し機械室と前記水取り機構の貯水空間とを連通し、これによって通気する時に気体が貯水空間を経由してから屋内に入り、これによって通気降温を実現し、
右側の前記壁板の中には通気を止めることができる止め機構も設けられ、右側の前記壁板の中には前記止め機構の運動を制御する風速制御機構も設けられ、前記風速制御機構は旋転チャンバを含み、前記旋転チャンバの下端壁には上端が外部空間の中に位置した旋転軸が回転できるように連結され、前記旋転軸の下端には方形ブロックがカバーとして取り付けられ、前記方形ブロックの四つの端にはいずれもロープが固定的に連結され、前記旋転軸の中には回転チャンバが設けられ、前記回転チャンバの下端壁には回転軸が回転できるように連結され、前記回転軸の上端には第一傘歯車と遠心輪とが固定され、前記遠心輪の右側には右端が前記旋転チャンバの中に位置した伝動ブロックが設けられ、前記伝動ブロックが前記方形ブロックと接触しており、前記回転チャンバの左端壁にはベルト軸が二本回転できるように連結され、前記ベルト軸には第一プーリーが固定され、二つの前記第一プーリーが第一ベルトによって連結され、下側の前記ベルト軸の右端には前記第一傘歯車と噛合した第二傘歯車が設けられ、上側の前記ベルト軸の右端が外部空間に位置しており、且つ上側の前記ベルト軸の右端にはファン羽根が固定され、前記旋転軸の上端には連結ブロックが固定され、前記連結ブロックの左端には風当たり板が固定され、屋外の風速が速いほど、前記ファン羽根の回転速度が速くなり、これによって前記遠心輪が作動し前記伝動ブロックを連動させ、前記伝動ブロックが方形ブロックを押し動かし、これによって前記止め機構の作動を制御し、前記通気機構の作動を止め、これによって外部の強い風や雨が屋内に入り屋内の機械の作動に影響することを防ぐことを特徴とする通信機械室用放熱通風システム。
【請求項２】
前記水取り機構は屋内を連通した回転溝を含み、前記回転溝の後端壁には回転モーターが固定され、前記回転モーターの前端には伝動軸が伝動できるように連結され、前記伝動軸にはＬ板がスライドできるように連結され、前記Ｌ板の両端にはいずれも前記回転溝を連通した位置制限溝が設けられ、前記回転溝の上端壁には下方に開口したバネ溝が設けられ、前記バネ溝の中には台形ブロックと前記台形ブロックを復帰させることができる伸縮バネとが設けられ、前記台形ブロックの上端にはチェーンが固定され、前記伝動軸の前端には伝動歯車が固定され、前記伝動歯車の前端面には前方に開口した収納溝が二つ設けられ、前記回転溝の前端壁には従動軸が回転できるように連結され、前記回転溝の上端壁には前記従動軸の後端に貫通された固定板が固定され、前記従動軸にはリールが二つ固定され、前記従動軸の後端には連結歯車が平キーで連結され、前記連結歯車の後端面には連結ロッドが二本固定され、前記固定板の後端には前記連結歯車と接触した圧縮バネが二つ固定され、前記固定板の後端面には連結バネが固定され、前記連結バネの後端には前記連結歯車が後方へ運動することを制限する位置制限板が固定され、前記位置制限板の前端面には前端が前記固定板を貫通した支持ロッドが固定され、前記Ｌ板の前端には前記位置制限板を前方へ運動させることができる台形ロッドが固定され、前記リールには細紐が巻き付いており、前記回転溝の上端壁の中には屋内を連通した昇降溝が二つ設けられ、前記昇降溝の中には一端が屋内に位置した昇降ロッドと前記昇降ロッドを復帰させることができる昇降バネとが設けられ、前記細紐の上端が前記昇降溝を貫通しており、且つ前記昇降ロッドと連結され、前側の前記昇降ロッドの上側には従動ブロックが設けられ、前記チェーンの上端が前側の前記昇降溝の後端壁を貫通しており、且つ前記従動ブロックの下端と連結され、屋内にある二本の前記昇降ロッドの前端の間には昇降軸が回転できるように連結され、前記昇降軸には斜面板が固定され、前記斜面板の下端には前記壁板と接触したブラシが固定されていることを特徴とする請求項１に記載の通信機械室用放熱通風システム。
【請求項３】
前記通風機構は上端壁が屋内を連通した環状貯水チャンバを含み、前記環状貯水チャンバの下端壁には上端が屋内に位置したガイドロッドが固定され、前記ガイドロッドは水が前記環状貯水チャンバの中に流れることをガイドし、前記環状貯水チャンバの右端壁の中には外部空間を連通した風入口が設けられ、右側の前記壁板の中には屋内と外部空間とを連通した排風口が設けられ、前記排風口の前後端壁の間と前記風入口の前後端壁の間とにはいずれも固定ブロックが固定され、前記固定ブロックの右端にはファン軸が回転できるように連結され、上側の前記固定ブロックの中には前記ファン軸と伝動できるように連結されたファンモーターが設けられ、前記ファン軸には回転羽根と第二プーリーとが固定され、二つの前記第二プーリーが第二ベルトによって連結され、前記排風口の中には濾過網膜も設けられ、前記風入口の上下端壁の間には駆動軸が回転できるように連結され、前記駆動軸には風止め板が固定されていることを特徴とする請求項１に記載の通信機械室用放熱通風システム。
【請求項４】
前記風速制御機構は前記排風口の下端壁の中に位置した従動チャンバも含み、前記従動チャンバの中には接触スイッチが八つ設けられ、八つの前記接触スイッチは二つずつ組み合わせられており、四つの前記接触スイッチの上端と前記ロープの一端とが連結されていることを特徴とする請求項１または請求項２または請求項３に記載の通信機械室用放熱通風システム。
【請求項５】
前記止め機構は前記排風口の上端壁の中に位置した昇降チャンバを含み、前記昇降チャンバが下方へ開口しており、前記昇降チャンバの中には前記排風口を遮蔽ことができる止め板と前記止め板を復帰させることができる復帰バネとが設けられ、前記止め板の上端には麻縄が固定され、前記昇降チャンバの上端壁の中には巻きチャンバが設けられ、前記巻きチャンバの左右端壁の間には巻き軸が回転できるように連結され、前記巻き軸には前記麻縄の上端を巻くことができる麻縄リールと回転歯車とが固定され、前記巻きチャンバの前端壁の中には後端壁が前記巻きチャンバを貫通した移動チャンバが設けられ、前記移動チャンバの前端壁には八つの前記接触スイッチに制御された電磁石が固定され、前記移動チャンバの中には後端が前記回転歯車と噛合した移動ロッドが設けられ、前記移動ロッドの前端と前記電磁石とが引き合っていることを特徴とする請求項１または請求項３または請求項４に記載の通信機械室用放熱通風システム。
【請求項６】
前記Ｌ板と前記伝動軸との間の摩擦力は前記伝動軸に前記Ｌ板を回転させることができることを特徴とする請求項１または請求項２に記載の通信機械室用放熱通風システム。
【請求項７】
前記従動ブロックが受けた重力は前記伸縮バネの弾性力より遥かに大きいのであることを特徴とする請求項２に記載の通信機械室用放熱通風システム。
【請求項８】
前記移動ロッドと前記電磁石との間の吸引力は前記止め板の重力と前記復帰バネの弾性力とより遥かに大きいのであることを特徴とする請求項５に記載の通信機械室用放熱通風システム。
【発明の詳細な説明】
【技術分野】
【０００１】
本発明は放熱分野を取り上げて、具体的には通信機械室用放熱通風システムである。
【背景技術】
【０００２】
人々の生活水準の向上につれ、通信基地局はどんどん建設され、通信機械室は通信基地局建設において欠かせないものであり、また、通信機械室は主に大量の通信設備を設置する場所として役に立ち、これによって便利に通信の信号を送ることができる。
南方に建設された通信機械室があるが、湿気った天気に、壁に凝結した水玉が室内の地面に流れやすく、室内の機械の作動に影響し、短絡などの問題を引き起こしやすく、危険性を生み、また風や雨が強い天気に、通信機械室の放熱排風口のほとんどが直接に室内と室外を連通しているため、雨水が室内に入りやすく、危険を招き、室内の機械を保護することに不利である。
【先行技術文献】
【特許文献】
【０００３】
【特許文献１】中国特許出願公開第１０４８３３０３１号明細書
【発明の概要】
【発明が解決しようとする課題】
【０００４】
本発明の目的は通信機械室用放熱通風システムを提供し、それは上記の現在の技術中の問題を解決できる。
【課題を解決するための手段】
【０００５】
本発明は以下の技術プランを通じて実現する：本発明の通信機械室用放熱通風システムは、屋根と、底板と、四つの壁板とを含み、左右二つの前記壁板の中にはいずれも水取り機構が設けられ、湿気った天気に、前記壁板の表面に凝結した水玉が前記水取り機構に集められて貯蔵されることができ、
前記底板の中には通気機構が設けられ、前記通気機構が作動し機械室と前記水取り機構の貯水空間とを連通し、これによって通気する時に気体が貯水空間を経由してから屋内に入り、これによって通気降温を実現し、
右側の前記壁板の中には通気を止めることができる止め機構も設けられ、右側の前記壁板の中には前記止め機構の運動を制御する風速制御機構も設けられ、前記風速制御機構は旋転チャンバを含み、前記旋転チャンバの下端壁には上端が外部空間の中に位置した旋転軸が回転できるように連結され、前記旋転軸の下端には方形ブロックがカバーとして取り付けられ、前記方形ブロックの四つの端にはいずれもロープが固定的に連結され、前記旋転軸の中には回転チャンバが設けられ、前記回転チャンバの下端壁には回転軸が回転できるように連結され、前記回転軸の上端には第一傘歯車と遠心輪とが固定され、前記遠心輪の右側には右端が前記旋転チャンバの中に位置した伝動ブロックが設けられ、前記伝動ブロックが前記方形ブロックと接触しており、前記回転チャンバの左端壁にはベルト軸が二本回転できるように連結され、前記ベルト軸には第一プーリーが固定され、二つの前記第一プーリーが第一ベルトによって連結され、下側の前記ベルト軸の右端には前記第一傘歯車と噛合した第二傘歯車が設けられ、上側の前記ベルト軸の右端が外部空間に位置しており、且つ上側の前記ベルト軸の右端にはファン羽根が固定され、前記旋転軸の上端には連結ブロックが固定され、前記連結ブロックの左端には風当たり板が固定され、屋外の風速が速いほど、前記ファン羽根の回転速度が速くなり、これによって前記遠心輪が作動し前記伝動ブロックを連動させ、前記伝動ブロックが方形ブロックを押し動かし、これによって前記止め機構の作動を制御し、前記通気機構の作動を止め、これによって外部の強い風や雨が屋内に入り屋内の機械の作動に影響することを防ぐ。
【０００６】
更の技術プラン、前記水取り機構は屋内を連通した回転溝を含み、前記回転溝の後端壁には回転モーターが固定され、前記回転モーターの前端には伝動軸が伝動できるように連結され、前記伝動軸にはＬ板がスライドできるように連結され、前記Ｌ板の両端にはいずれも前記回転溝を連通した位置制限溝が設けられ、前記回転溝の上端壁には下方に開口したバネ溝が設けられ、前記バネ溝の中には台形ブロックと前記台形ブロックを復帰させることができる伸縮バネとが設けられ、前記台形ブロックの上端にはチェーンが固定され、前記伝動軸の前端には伝動歯車が固定され、前記伝動歯車の前端面には前方に開口した収納溝が二つ設けられ、前記回転溝の前端壁には従動軸が回転できるように連結され、前記回転溝の上端壁には前記従動軸の後端に貫通された固定板が固定され、前記従動軸にはリールが二つ固定され、前記従動軸の後端には連結歯車が平キーで連結され、前記連結歯車の後端面には連結ロッドが二本固定され、前記固定板の後端には前記連結歯車と接触した圧縮バネが二つ固定され、前記固定板の後端面には連結バネが固定され、前記連結バネの後端には前記連結歯車が後方へ運動することを制限する位置制限板が固定され、前記位置制限板の前端面には前端が前記固定板を貫通した支持ロッドが固定され、前記Ｌ板の前端には前記位置制限板を前方へ運動させることができる台形ロッドが固定され、前記リールには細紐が巻き付いており、前記回転溝の上端壁の中には屋内を連通した昇降溝が二つ設けられ、前記昇降溝の中には一端が屋内に位置した昇降ロッドと前記昇降ロッドを復帰させることができる昇降バネとが設けられ、前記細紐の上端が前記昇降溝を貫通しており、且つ前記昇降ロッドと連結され、前側の前記昇降ロッドの上側には従動ブロックが設けられ、前記チェーンの上端が前側の前記昇降溝の後端壁を貫通しており、且つ前記従動ブロックの下端と連結され、屋内にある二本の前記昇降ロッドの前端の間には昇降軸が回転できるように連結され、前記昇降軸には斜面板が固定され、前記斜面板の下端には前記壁板と接触したブラシが固定されている。
【０００７】
更の技術プラン、前記通風機構は上端壁が屋内を連通した環状貯水チャンバを含み、前記環状貯水チャンバの下端壁には上端が屋内に位置したガイドロッドが固定され、前記ガイドロッドは水が前記環状貯水チャンバの中に流れることをガイドし、前記環状貯水チャンバの右端壁の中には外部空間を連通した風入口が設けられ、右側の前記壁板の中には屋内と外部空間とを連通した排風口が設けられ、前記排風口の前後端壁の間と前記風入口の前後端壁の間とにはいずれも固定ブロックが固定され、前記固定ブロックの右端にはファン軸が回転できるように連結され、上側の前記固定ブロックの中には前記ファン軸と伝動できるように連結されたファンモーターが設けられ、前記ファン軸には回転羽根と第二プーリーとが固定され、二つの前記第二プーリーが第二ベルトによって連結され、前記排風口の中には濾過網膜も設けられ、前記風入口の上下端壁の間には駆動軸が回転できるように連結され、前記駆動軸には風止め板が固定されている。
【０００８】
更の技術プラン、前記風速制御機構は前記排風口の下端壁の中に位置した従動チャンバも含み、前記従動チャンバの中には接触スイッチが八つ設けられ、八つの前記接触スイッチは二つずつ組み合わせられており、四つの前記接触スイッチの上端と前記ロープの一端とが連結されている。
【０００９】
更の技術プラン、前記止め機構は前記排風口の上端壁の中に位置した昇降チャンバを含み、前記昇降チャンバが下方へ開口しており、前記昇降チャンバの中には前記排風口を遮蔽ことができる止め板と前記止め板を復帰させることができる復帰バネとが設けられ、前記止め板の上端には麻縄が固定され、前記昇降チャンバの上端壁の中には巻きチャンバが設けられ、前記巻きチャンバの左右端壁の間には巻き軸が回転できるように連結され、前記巻き軸には前記麻縄の上端を巻くことができる麻縄リールと回転歯車とが固定され、前記巻きチャンバの前端壁の中には後端壁が前記巻きチャンバを貫通した移動チャンバが設けられ、前記移動チャンバの前端壁には八つの前記接触スイッチに制御された電磁石が固定され、前記移動チャンバの中には後端が前記回転歯車と噛合した移動ロッドが設けられ、前記移動ロッドの前端と前記電磁石とが引き合っている。
【００１０】
更の技術プラン、前記Ｌ板と前記伝動軸との間の摩擦力は前記伝動軸に前記Ｌ板を回転させることができる。
【００１１】
更の技術プラン、前記従動ブロックが受けた重力は前記伸縮バネの弾性力より遥かに大きいのである。
【００１２】
更の技術プラン、前記移動ロッドと前記電磁石との間の吸引力は前記止め板の重力と前記復帰バネの弾性力とより遥かに大きいのである。
【発明の効果】
【００１３】
本装置は構造が簡単で、操作が便利であり、湿気った天気に壁に凝結した水玉を取って集め、水が室内の地面に流れることによって室内の機械の作動の安全に影響することを防ぎ、風や雨が強い天気に、装置は風の大きさによって自動的に排風口の開閉を制御でき、雨水が排風口から室内に入ることによって室内の機械の作動に影響することを防ぐ。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の構成略図
【図２】図２は本発明の左側の壁板の全体断面の左面拡大構成略図
【図３】図３は本発明の移動チャンバの全体断面の左面拡大構成略図
【図４】図４は本発明の風速制御機構の部分断面の正面拡大構成略図
【図５】図５は本発明の水取り機構の部分断面の左面拡大構成略図
【図６】図６は本発明の方形ブロックの上面拡大略図
【発明を実施するための形態】
【００１６】
図１〜６を参照し、本発明の通信機械室用放熱通風システムは、屋根１と、底板１２と、四つの壁板３とを含み、左右二つの前記壁板３の中にはいずれも水取り機構８８が設けられ、湿気った天気に、前記壁板３の表面に凝結した水玉が前記水取り機構８８に集められて貯蔵されることができ、前記底板１２の中には通気機構８７が設けられ、前記通気機構８７が作動し機械室と前記水取り機構８８の貯水空間とを連通し、これによって通気する時に気体が貯水空間を経由してから屋内に入り、これによって通気降温を実現し、右側の前記壁板３の中には通気を止めることができる止め機構８９も設けられ、右側の前記壁板３の中には前記止め機構８９の運動を制御する風速制御機構９０も設けられ、前記風速制御機構９０は旋転チャンバ３５を含み、前記旋転チャンバ３５の下端壁には上端が外部空間の中に位置した旋転軸３０が回転できるように連結され、前記旋転軸３０の下端には方形ブロック７１がカバーとして取り付けられ、前記方形ブロック７１の四つの端にはいずれもロープ６６が固定的に連結され、前記旋転軸３０の中には回転チャンバ５５が設けられ、前記回転チャンバ５５の下端壁には回転軸６８が回転できるように連結され、前記回転軸６８の上端には第一傘歯車７０と遠心輪６９とが固定され、前記遠心輪６９の右側には右端が前記旋転チャンバ３５の中に位置した伝動ブロック６７が設けられ、前記伝動ブロック６７が前記方形ブロック７１と接触しており、前記回転チャンバ５５の左端壁にはベルト軸７３が二本回転できるように連結され、前記ベルト軸７３には第一プーリー７４が固定され、二つの前記第一プーリー７４が第一ベルト３４によって連結され、下側の前記ベルト軸７３の右端には前記第一傘歯車７０と噛合した第二傘歯車７２が設けられ、上側の前記ベルト軸７３の右端が外部空間に位置しており、且つ上側の前記ベルト軸７３の右端にはファン羽根２９が固定され、前記旋転軸３０の上端には連結ブロック３２が固定され、前記連結ブロック３２の左端には風当たり板３６が固定され、屋外の風速が速いほど、前記ファン羽根２９の回転速度が速くなり、これによって前記遠心輪６９が作動し前記伝動ブロック６７を連動させ、前記伝動ブロック６７が方形ブロック７１を押し動かし、これによって前記止め機構８９の作動を制御し、前記通気機構８７の作動を止め、これによって外部の強い風や雨が屋内に入り屋内の機械の作動に影響することを防ぐ。
【００１７】
有益に、前記水取り機構８８は屋内を連通した回転溝６を含み、前記回転溝６の後端壁には回転モーター７５が固定され、前記回転モーター７５の前端には伝動軸１１が伝動できるように連結され、前記伝動軸１１にはＬ板９がスライドできるように連結され、前記Ｌ板９の両端にはいずれも前記回転溝６を連通した位置制限溝１０が設けられ、前記回転溝６の上端壁には下方に開口したバネ溝４６が設けられ、前記バネ溝４６の中には台形ブロック４８と前記台形ブロック４８を復帰させることができる伸縮バネ４７とが設けられ、前記台形ブロック４８の上端にはチェーン４２が固定され、前記伝動軸１１の前端には伝動歯車７９が固定され、前記伝動歯車７９の前端面には前方に開口した収納溝８０が二つ設けられ、前記回転溝６の前端壁には従動軸８５が回転できるように連結され、前記回転溝６の上端壁には前記従動軸８５の後端に貫通された固定板８４が固定され、前記従動軸８５にはリール８６が二つ固定され、前記従動軸８５の後端には連結歯車８２が平キーで連結され、前記連結歯車８２の後端面には連結ロッド８１が二本固定され、前記固定板８４の後端には前記連結歯車８２と接触した圧縮バネ８３が二つ固定され、前記固定板８４の後端面には連結バネ５が固定され、前記連結バネ５の後端には前記連結歯車８２が後方へ運動することを制限する位置制限板７７が固定され、前記位置制限板７７の前端面には前端が前記固定板８４を貫通した支持ロッド７６が固定され、前記Ｌ板９の前端には前記位置制限板７７を前方へ運動させることができる台形ロッド７８が固定され、前記リール８６には細紐４５が巻き付いており、前記回転溝６の上端壁の中には屋内を連通した昇降溝４４が二つ設けられ、前記昇降溝４４の中には一端が屋内に位置した昇降ロッド３９と前記昇降ロッド３９を復帰させることができる昇降バネ４３とが設けられ、前記細紐４５の上端が前記昇降溝４４を貫通しており、且つ前記昇降ロッド３９と連結され、前側の前記昇降ロッド３９の上側には従動ブロック４１が設けられ、前記チェーン４２の上端が前側の前記昇降溝４４の後端壁を貫通しており、且つ前記従動ブロック４１の下端と連結され、屋内にある二本の前記昇降ロッド３９の前端の間には昇降軸３８が回転できるように連結され、前記昇降軸３８には斜面板３７が固定され、前記斜面板３７の下端には前記壁板３と接触したブラシ４０が固定されている。
【００１８】
有益に、前記通風機構８７は上端壁が屋内を連通した環状貯水チャンバ１３を含み、前記環状貯水チャンバ１３の下端壁には上端が屋内に位置したガイドロッド１４が固定され、前記ガイドロッド１４は水が前記環状貯水チャンバ１３の中に流れることをガイドし、前記環状貯水チャンバ１３の右端壁の中には外部空間を連通した風入口１５が設けられ、右側の前記壁板３の中には屋内と外部空間とを連通した排風口３１が設けられ、前記排風口３１の前後端壁の間と前記風入口１５の前後端壁の間とにはいずれも固定ブロック１６が固定され、前記固定ブロック１６の右端にはファン軸１９が回転できるように連結され、上側の前記固定ブロック１６の中には前記ファン軸１９と伝動できるように連結されたファンモーター２８が設けられ、前記ファン軸１９には回転羽根１８と第二プーリー１７とが固定され、二つの前記第二プーリー１７が第二ベルト２２によって連結され、前記排風口３１の中には濾過網膜２７も設けられ、前記風入口１５の上下端壁の間には駆動軸２１が回転できるように連結され、前記駆動軸２１には風止め板２０が固定されている。
【００１９】
有益に、前記風速制御機構９０は前記排風口３１の下端壁の中に位置した従動チャンバ２３も含み、前記従動チャンバ２３の中には接触スイッチ２５が八つ設けられ、八つの前記接触スイッチは二つずつ組み合わせられており、四つの前記接触スイッチ２５の上端と前記ロープ６６の一端とが連結されている。
【００２０】
有益に、前記止め機構８９は前記排風口３１の上端壁の中に位置した昇降チャンバ６３を含み、前記昇降チャンバ６３が下方へ開口しており、前記昇降チャンバ６３の中には前記排風口３１を遮蔽ことができる止め板６５と前記止め板６５を復帰させることができる復帰バネ６２とが設けられ、前記止め板６５の上端には麻縄６１が固定され、前記昇降チャンバ６３の上端壁の中には巻きチャンバ５６が設けられ、前記巻きチャンバ５６の左右端壁の間には巻き軸６０が回転できるように連結され、前記巻き軸６０には前記麻縄６１の上端を巻くことができる麻縄リール５９と回転歯車５８とが固定され、前記巻きチャンバ５６の前端壁の中には後端壁が前記巻きチャンバ５６を貫通した移動チャンバ４９が設けられ、前記移動チャンバ４９の前端壁には八つの前記接触スイッチ２５に制御された電磁石５１が固定され、前記移動チャンバ４９の中には後端が前記回転歯車５８と噛合した移動ロッド５２が設けられ、前記移動ロッド５２の前端と前記電磁石５１とが引き合っている。
【００２１】
装置全体の作動順序は以下の通り：
【００２２】
１：湿気った天気に、壁板３には水玉が凝結し、処理しければ、屋内の機械の作動に影響し、損失を招き、このとき回転モーター７５が作動し伝動軸１１を回転連動させ、これによってＬ板９を回転連動させ、これによって台形ロッド７８と位置制限板７７とを離脱させ、これによって位置制限板７７が連結バネ５の作用のもとで後へ運動し、これによって連結歯車８２が圧縮バネ８３の作用のもとで後方へ運動し、これによって連結ロッド８１が後方へ運動し、伝動軸１１が引き続きに回転し、Ｌ板９が九十度回転した後に回転しなくなり、伝動軸１１が回転し伝動歯車７９を回転連動させ、これによって連結ロッド８１の後端が収納溝８０の中に入り、これによって伝動歯車７９が連結歯車８２を回転連動させ、これによって従動軸８５を回転連動させ、これによってリール８６を回転連動させ、これによって細紐４５を巻き、これによって昇降ロッド３９を下へ運動させ、昇降バネ４３が圧縮され、昇降ロッド３９が降下し斜面板３７とブラシ４０とを降下させ、これによって凝結した水玉が壁板３に沿ってＬ板９の中に入り、これによって水がＬロッド９に沿ってガイドロッド１４のガイドにより環状貯水チャンバ１３の中に入り、昇降ロッド３９が降下し従動ブロック４１を降下させ、これによってチェーン４２が緩くなり、これによって台形ブロック４８が降下し位置制限溝１０の中に入り、回転モーター７５の反転を制限する時にＬ板９を回転連動させる。
【００２３】
２：昇降ロッド３９が上方へ運動するとき、回転モーター７５が作動し伝動軸１１を逆回転連動させ、伝動によって従動軸８５が逆回転し、これによって細紐４５が緩み、これによって昇降ロッド３９が上へ運動し、これによってブラシ４０と斜面板３７とを上方へ運動させ、凝結した水玉の処理が完了したとき、昇降ロッド３９が上方へ運動し従動ブロック４１を復帰させ、これによって台形ブロック４８を復帰させ、これによって伝動軸１１がＬ板９を復帰させ、これによって台形ロッド７８が位置制限板７７を復帰連動させ、これによって連結歯車８２を復帰させ、これによって連結ロッド８１を収納溝８０から離れさせ、これによって従動軸８５の作動を止め、このとき水取り機構８８が復帰を完了し、凝結した水玉の処理がまだできていない場合、昇降ロッド３９が上昇し、且つ台形ブロック４８がまだ位置制限溝１０から離れていないときに、回転モーター７５が伝動軸１１を正回転連動させ、ブラシ１０を降下させ、引き続きに水を取る。
【００２４】
３：機械室の中に通風放熱が必要となるとき、ファンモーター２８が作動しファン軸１９を回転連動させ、これによって上側の第二プーリー１７と上側の回転羽根１８とを回転連動させ、第二ベルト２２の伝動により第二プーリー１７と下側の回転羽根１８とを回転連動させ、これによって風入口１５から風が入り、そして排風口３１から排出され、入ってきた空気が環状貯水チャンバ１３を経由し屋内に入り、水の作用により空気の温度を下げ、屋内に入った後に、比較的に冷たい空気が下側に集まり、比較的に熱い空気が排風口３１により排出され、これによって屋内の温度を素早く下げ、素早く通風する。
【００２５】
４：強い風や雨の天気に、風当たり板３６によってファン羽根２９が風の吹く方向に向き、これによってファン羽根２９が上側のベルト軸７３と上側の第一プーリー７４とを回転連動させ、これによって第一ベルトが下側の第一プーリー７４を回転連動させ、これによって下側のベルト軸７３と第二傘歯車７２とを回転させ、これによって第一傘歯車７０と、回転軸６８と、遠心輪６９とを回転させ、風速が速いほど、雨水が排風口３１から屋内に入りやすくなり、機械の作動に影響し、風速が速いほどファン羽根２９が連動されて回転する速度が速くなり、これによって遠心輪６９の回転が速くなり、これによって連結ブロック６７を移動連動させ、これによって方形ブロック７１を移動させ、これによって四本のロープの中で必ず一本が引き締められ、これによって少なくとも組み合わせられた二つの接触スイッチ２５を互いに離脱させ、これによって電磁石５１の通電状態を解除し、これによって止め板６５が復帰バネ６２の作用のもとで降下し、排風口を遮蔽し、これによって雨水が排風口３１から入ることを防ぎ、止め板６５が降下し麻縄６４によって麻縄リール５９を回転連動させ、これによって巻き軸６０と回転歯車５８とを回転連動させ、これによって移動ロッド５８を連動させて電磁石５１から離れさせる。
【００２６】
５：風が止まったとき、遠心輪６９が復帰し、八つの接触スイッチ２５が復帰し、再び電磁石５１を作動させ、電磁石５１が移動ロッド５８と引き合い、これによって方形ブロック７１が復帰し、これによって連結ブロック６７を復帰させ、移動ロッド５８が復帰し回転歯車５８を回転連動させ、これによって巻き軸６０と麻縄リール５９とを回転連動させ、これによって再び麻縄リール６１をきつく巻き、これによって止め板６５を復帰させる。
【００２７】
以上に述べたのはただ本発明の技術の構想と特徴であり、目的は本分野に詳しい技術員に本発明の内容を理解させて実施させることであり、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020197363.tif 000003
【図２】
2020197363.tif 000004
【図３】
2020197363.tif 000005
【図４】
2020197363.tif 000006
【図５】
2020197363.tif 000007
【図６】
2020197363.tif 000008
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
正面視で、屋根と、底板と、四つの壁板とを含み、左右二つの前記壁板の中にはいずれも水取り機構が設けられ、湿気った天気に、前記壁板の表面に凝結した水玉が前記水取り機構に集められて貯蔵されることができ、
前記底板の中には通気機構が設けられ、前記通気機構が作動し機械室と前記水取り機構の貯水空間とを連通し、これによって通気する時に気体が貯水空間を経由してから屋内に入り、これによって通気降温を実現し、
右側の前記壁板の中には通気を止めることができる止め機構も設けられ、右側の前記壁板の中には前記止め機構の運動を制御する風速制御機構も設けられ、前記風速制御機構は旋転チャンバを含み、前記旋転チャンバの下端壁には上端が外部空間の中に位置した旋転軸が回転できるように連結され、前記旋転軸の下端には方形ブロックがカバーとして取り付けられ、前記方形ブロックの四つの端にはいずれもロープが固定的に連結され、前記旋転軸の中には回転チャンバが設けられ、前記回転チャンバの下端壁には回転軸が回転できるように連結され、前記回転軸の上端には第一傘歯車と遠心輪とが固定され、前記遠心輪の右側には右端が前記旋転チャンバの中に位置した伝動ブロックが設けられ、前記伝動ブロックが前記方形ブロックと接触しており、前記回転チャンバの左端壁にはベルト軸が二本回転できるように連結され、前記ベルト軸には第一プーリーが固定され、二つの前記第一プーリーが第一ベルトによって連結され、下側の前記ベルト軸の右端には前記第一傘歯車と噛合した第二傘歯車が設けられ、上側の前記ベルト軸の右端が外部空間に位置しており、且つ上側の前記ベルト軸の右端にはファン羽根が固定され、前記旋転軸の上端には連結ブロックが固定され、前記連結ブロックの左端には風当たり板が固定され、屋外の風速が速いほど、前記ファン羽根の回転速度が速くなり、これによって前記遠心輪が作動し前記伝動ブロックを連動させ、前記伝動ブロックが方形ブロックを押し動かし、これによって前記止め機構の作動を制御し、前記通気機構の作動を止め、これによって外部の強い風や雨が屋内に入り屋内の機械の作動に影響することを防ぎ、
前記水取り機構は屋内を連通した回転溝を含み、前記回転溝の後端壁には回転モーターが固定され、前記回転モーターの前端には伝動軸が伝動できるように連結され、前記伝動軸にはＬ板がスライドできるように連結され、前記Ｌ板の両端にはいずれも前記回転溝を連通した位置制限溝が設けられ、前記回転溝の上端壁には下方に開口したバネ溝が設けられ、前記バネ溝の中には台形ブロックと前記台形ブロックを復帰させることができる伸縮バネとが設けられ、前記台形ブロックの上端にはチェーンが固定され、前記伝動軸の前端には伝動歯車が固定され、前記伝動歯車の前端面には前方に開口した収納溝が二つ設けられ、前記回転溝の前端壁には従動軸が回転できるように連結され、前記回転溝の上端壁には前記従動軸の後端に貫通された固定板が固定され、前記従動軸にはリールが二つ固定され、前記従動軸の後端には連結歯車が平キーで連結され、前記連結歯車の後端面には連結ロッドが二本固定され、前記固定板の後端には前記連結歯車と接触した圧縮バネが二つ固定され、前記固定板の後端面には連結バネが固定され、前記連結バネの後端には前記連結歯車が後方へ運動することを制限する位置制限板が固定され、前記位置制限板の前端面には前端が前記固定板を貫通した支持ロッドが固定され、前記Ｌ板の前端には前記位置制限板を前方へ運動させることができる台形ロッドが固定され、前記リールには細紐が巻き付いており、前記回転溝の上端壁の中には屋内を連通した昇降溝が二つ設けられ、前記昇降溝の中には一端が屋内に位置した昇降ロッドと前記昇降ロッドを復帰させることができる昇降バネとが設けられ、前記細紐の上端が前記昇降溝を貫通しており、且つ前記昇降ロッドと連結され、前側の前記昇降ロッドの上側には従動ブロックが設けられ、前記チェーンの上端が前側の前記昇降溝の後端壁を貫通しており、且つ前記従動ブロックの下端と連結され、屋内にある二本の前記昇降ロッドの前端の間には昇降軸が回転できるように連結され、前記昇降軸には斜面板が固定され、前記斜面板の下端には前記壁板と接触したブラシが固定され、
前記通風機構は上端壁が屋内を連通した環状貯水チャンバを含み、前記環状貯水チャンバの下端壁には上端が屋内に位置したガイドロッドが固定され、前記ガイドロッドは水が前記環状貯水チャンバの中に流れることをガイドし、前記環状貯水チャンバの右端壁の中には外部空間を連通した風入口が設けられ、右側の前記壁板の中には屋内と外部空間とを連通した排風口が設けられ、前記排風口の前後端壁の間と前記風入口の前後端壁の間とにはいずれも固定ブロックが固定され、前記固定ブロックの右端にはファン軸が回転できるように連結され、上側の前記固定ブロックの中には前記ファン軸と伝動できるように連結されたファンモーターが設けられ、前記ファン軸には回転羽根と第二プーリーとが固定され、二つの前記第二プーリーが第二ベルトによって連結され、前記排風口の中には濾過網膜も設けられ、前記風入口の上下端壁の間には駆動軸が回転できるように連結され、前記駆動軸には風止め板が固定され、
前記風速制御機構は前記排風口の下端壁の中に位置した従動チャンバも含み、前記従動チャンバの中には接触スイッチが八つ設けられ、八つの前記接触スイッチは二つずつ組み合わせられており、四つの前記接触スイッチの上端と前記ロープの一端とが連結され、
前記止め機構は前記排風口の上端壁の中に位置した昇降チャンバを含み、前記昇降チャンバが下方へ開口しており、前記昇降チャンバの中には前記排風口を遮蔽ことができる止め板と前記止め板を復帰させることができる復帰バネとが設けられ、前記止め板の上端には麻縄が固定され、前記昇降チャンバの上端壁の中には巻きチャンバが設けられ、前記巻きチャンバの左右端壁の間には巻き軸が回転できるように連結され、前記巻き軸には前記麻縄の上端を巻くことができる麻縄リールと回転歯車とが固定され、前記巻きチャンバの前端壁の中には後端壁が前記巻きチャンバを貫通した移動チャンバが設けられ、前記移動チャンバの前端壁には八つの前記接触スイッチに制御された電磁石が固定され、前記移動チャンバの中には後端が前記回転歯車と噛合した移動ロッドが設けられ、前記移動ロッドの前端と前記電磁石とが引き合っていることを特徴とする通信機械室用放熱通風システム。
【請求項２】
前記Ｌ板と前記伝動軸との間の摩擦力は前記伝動軸に前記Ｌ板を回転させることができることを特徴とする請求項１に記載の通信機械室用放熱通風システム。
【請求項３】
前記従動ブロックが受けた重力は前記伸縮バネの弾性力より遥かに大きいのであることを特徴とする請求項１に記載の通信機械室用放熱通風システム。
【請求項４】
前記移動ロッドと前記電磁石との間の吸引力は前記止め板の重力と前記復帰バネの弾性力とより遥かに大きいのであることを特徴とする請求項１に記載の通信機械室用放熱通風システム。